(57)【要約】  【課題】  光ディスクの製作者の意図する画質で映像を表示したい場合は、製作者の意図する画質に設定をすることができる光ディスク再生装置を提供する。  【解決手段】  光ディスク１の再生画像の画質を調整する際に、光ディスク１からディスク情報が読み出され、システムコントローラ５は前記ディスク情報をサーバ１０に送信する。サーバ１０においては、前記ディスク情報により比較用映像信号を検索して送信する。システムコントローラ５では、前記比較用映像信号を受信し、光ディスク１から読み出され、デコーダ３で再生された比較対象の映像信号と前記比較用映像信号とを比較して両映像信号の差異信号を出力し、差異信号に従ってデコーダ３の設定値を更新させる。この結果、デコーダ３からは光ディスク１の製作者の意図する画質の映像信号が再生される。これにより、ユーザは、本来の画質の映像を楽しむことが可能になる。【選択図】      図１
2005295437.tif 000002
【特許請求の範囲】
【請求項１】
光ディスクに記録された情報を光ピックアップにより読み取り、この読み取り信号をデ
コードして映像信号を再生するデコーダを有する光ディスク再生装置において、画質調整
するための比較用映像信号を得るために設けられたサーバとインターネット接続するイン
ターネット接続手段と、当該光ディスクから読み出されたディスク情報を前記サーバへ前
記インターネット接続手段を介して送信する送信手段と、前記サーバにおいて前記ディス
ク情報により検索された比較用映像信号および当該光ディスク上の比較対象の映像信号を
指定するための映像指定信号を前記インターネット接続手段を介して受信する受信手段と
、前記映像指定信号に基づいて前記デコーダから比較対象の映像信号が再生できるように
当該光ディスクに対する前記光ピックアップの位置を制御する制御手段と、前記再生され
た比較対象の映像信号あるいは表示装置が接続されている場合の該表示装置からのフィー
ドバックによる比較対象の映像信号と前記比較用映像信号とを比較する比較手段と、前記
比較された両映像信号の差異信号に従って前記デコーダの画質調整に関する設定値を更新
させる更新手段とを備えたことを特徴とする光ディスク再生装置。
【請求項２】
光ディスクに記録された情報を光ピックアップにより読み取り、この読み取り信号をデ
コードして映像信号を再生するデコーダを有する光ディスク再生装置において、インター
ネット接続手段を介して接続されたサーバからの当該光ディスクに対応する比較用映像信
号と、当該光ディスクから読み出され前記デコーダによりデコードされて再生された比較
対象の映像信号とを比較し、この比較された両映像信号の差異信号に従って前記デコーダ
の画質調整に関する設定値を更新させる制御を行うシステムコントローラを備えたことを
特徴とする光ディスク再生装置。
【請求項３】
前記比較用映像信号は、光ディスク再生装置において再生された当該光ディスクのディ
スク情報に基づいて前記サーバにおいて検索され、前記光ディスク再生装置に送信される
ことを特徴とする請求項２に記載の光ディスク再生装置。
【請求項４】
当該光ディスクから読み出されたディスク情報を前記サーバへ前記インターネット接続
手段を介して送信する送信手段と、前記サーバにおいて前記ディスク情報により検索され
た比較用映像信号および当該光ディスク上の比較対象の映像信号を指定するための映像指
定信号を前記インターネット接続手段を介して受信する受信手段とを備えたことを特徴と
する請求項２に記載の光ディスク再生装置。
【請求項５】
前記システムコントローラは、前記映像指定信号に基づいて前記デコーダから比較対象
の映像信号が再生できるように当該光ディスクに対する前記光ピックアップの位置を制御
する制御手段と、前記再生された比較対象の映像信号あるいは表示装置が接続されている
場合の該表示装置からのフィードバックによる比較対象の映像信号と前記比較用映像信号
とを比較する比較手段と、前記比較された両映像信号の差異信号に従って前記デコーダの
画質調整に関する設定値を更新させる更新手段とを備えたことを特徴とする請求項２に記
載の光ディスク再生装置。
【請求項６】
光ディスクに記録された情報を光ピックアップにより読み取り、この読み取り信号をデ
コードして映像信号を再生するデコーダを有する光ディスク再生装置において、光ディス
クに予め画質調整用信号の情報を記録しておき、画質調整するための比較用の画質調整用
信号を得るために設けられたサーバとインターネット接続するインターネット接続手段と
、当該光ディスクから読み出されたディスク情報を前記サーバへ前記インターネット接続
手段を介して送信する送信手段と、前記サーバにおいて前記ディスク情報により検索され
た比較用の画質調整用信号および当該光ディスク上の比較対象の画質調整用信号を指定す
るための画質調整指定信号を前記インターネット接続手段を介して受信する受信手段と、
前記画質調整指定信号に基づいて前記デコーダから比較対象の画質調整用信号が再生でき
るように当該光ディスクに対する前記光ピックアップの位置を制御する制御手段と、前記
再生された比較対象の画質調整用信号あるいは表示装置が接続されている場合の該表示装
置からのフィードバックによる比較対象の画質調整用信号と前記比較用の画質調整用信号
とを比較する比較手段と、前記比較された両画質調整用信号の差異信号に従って前記デコ
ーダの画質調整に関する設定値を更新させる更新手段とを備えたことを特徴とする光ディ
スク再生装置。
【請求項７】
光ディスクに記録された情報を光ピックアップにより読み取り、この読み取り信号をデ
コードして映像信号を再生するデコーダを有する光ディスク再生装置において、光ディス
クに予め画質調整用信号の情報を記録しておき、インターネット接続手段を介して接続さ
れたサーバからの当該光ディスクに対応する比較用の画質調整用信号と、当該光ディスク
から読み出され前記デコーダによりデコードされて再生された比較対象の画質調整用信号
とを比較し、この比較された両画質調整用信号の差異信号に従って前記デコーダの画質調
整に関する設定値を更新させる制御を行うシステムコントローラを備えたことを特徴とす
る光ディスク再生装置。
【請求項８】
前記比較用の画質調整用信号は、光ディスク再生装置おいて再生された当該光ディスク
のディスク情報に基づいて前記サーバにおいて検索され、前記光ディスク再生装置に送信
されることを特徴とする請求項７に記載の光ディスク再生装置。
【請求項９】
当該光ディスクから読み出されたディスク情報を前記サーバへ前記インターネット接続
手段を介して送信する送信手段と、前記サーバにおいて前記ディスク情報により検索され
た比較用の画質調整用信号および当該光ディスク上の比較対象の画質調整用信号を指定す
るための画質調整指定信号を前記インターネット接続手段を介して受信する受信手段とを
備えたことを特徴とする請求項７に記載の光ディスク再生装置。
【請求項１０】
前記システムコントローラは、前記画質調整指定信号に基づいて前記デコーダから比較
対象の画質調整用信号が再生できるように当該光ディスクに対する前記光ピックアップの
位置を制御する制御手段と、前記再生された比較対象の画質調整用信号あるいは表示装置
が接続されている場合の該表示装置からのフィードバックによる比較対象の画質調整用信
号と前記比較用の画質調整用信号とを比較する比較手段と、前記比較された両画質調整用
信号の差異信号に従って前記デコーダの画質調整に関する設定値を更新させる更新手段と
を備えたことを特徴とする請求項７に記載の光ディスク再生装置。
【発明の詳細な説明】
【技術分野】
【０００１】
本発明は、光ディスクに記録された情報を光ピックアップにより読み取り、この読み取
り信号をデコードして映像信号を再生するデコーダを有する光ディスク再生装置に関し、
特に、画質調整機能を有する光ディスク再生装置に関する。
【背景技術】
【０００２】
従来から、映像信号や音声信号を符号化／圧縮化したデジタルデータ（映像音声情報）
をＤＶＤ（デジタル・バーサタイル・ディスク）などのような光ディスクに記録し、その
光ディスクからデジタルデータを読み出して映像音声信号を再生することがなされている
。
【０００３】
光ディスクに記録される映像は多種多様であるが、ユーザにおいては例えば映画であれ
ば、その映画の映像に合った画質で映像が表示されることが望まれる。通常、表示される
映像の画質は、テレビモニタなどの表示装置において調整できるようになっているが、光
ディスクから映像信号を再生する光ディスク再生装置においても画質調整機能を備えるも
のがある。
【０００４】
また、そのような光ディスク再生装置では、ユーザの利便性を考慮して、予め映像ソー
スに合わせた複数の画質モード、例えば標準モード、アニメモード、シネマモード、スポ
ーツモード、モノクロモードと言ったものが用意されているものもある。これにより、ユ
ーザは、映像再生の際に、画質モードを選択設定することで好みの画質で再生映像を鑑賞
することができる。
【特許文献１】特開２００３−１４３５５２号公報
【特許文献２】特開２００１−３３３３５０号公報
【特許文献３】特開２００３−１５３１５２号公報
【発明の開示】
【発明が解決しようとする課題】
【０００５】
このように従来の光ディスク再生装置では、ユーザが画質モードの選択設定を行い、ユ
ーザの好みに合った画質モードで、当該光ディスクから映像信号を再生して表示装置に映
像を表示できるようになっている。即ち、従来の光ディスク再生装置では、ユーザの好み
に合った画質で映像を表示できるが、しかし、光ディスクの製作者の意図する画質で映像
を表示させたい場合、ユーザが製作者の意図する画質で表示された映像を実際に見ていな
いので、製作者の意図する画質に設定をすることができず、また、見ていたとしても人間
の視覚に頼っては正確に画質設定を行うことが難しいという課題が生じる。
【０００６】
なお、特許文献１の従来技術では、複数の画質モードでの映像再生が可能な映像再生装
置において、映像を再生する際に、ユーザの好みに合った画質モードの選択設定を簡単な
操作で容易に行えるようにしているが、光ディスクの製作者の意図する画質で映像を表示
させたい場合は、上記のような課題が生じることになる。
【０００７】
特許文献２の従来技術では、同じオーサリングやジャンルまたは画像特性の映像ソフト
については一度画質調整操作を行えば、以後は最適な画像が得られるようにしているが、
この従来技術も、光ディスクの製作者の意図する画質で映像を表示させたい場合は、上記
のような課題が生じることになる。
【０００８】
特許文献３の従来技術では、ユーザ管理データにはユーザが使用する録画装置の画質に
関する情報が含まれ、この情報に基づいて送信する動画データの画質を調整するようにな
っているが、この従来技術も、光ディスクの製作者の意図する画質で映像を表示させたい
場合は、上記のような課題が生じることになる。
【０００９】
本発明は、上記のような課題を解決するためになされたもので、光ディスクの製作者の
意図する画質で映像を表示させたい場合は、製作者の意図する画質に設定することができ
る光ディスク再生装置を提供することを目的とする。
【課題を解決するための手段】
【００１０】
上記目的を達成するために、請求項１の発明は、光ディスクに記録された情報を光ピッ
クアップにより読み取り、この読み取り信号をデコードして映像信号を再生するデコーダ
を有する光ディスク再生装置において、画質調整するための比較用映像信号を得るために
設けられたサーバとインターネット接続するインターネット接続手段と、当該光ディスク
から読み出されたディスク情報を前記サーバへ前記インターネット接続手段を介して送信
する送信手段と、前記サーバにおいて前記ディスク情報により検索された比較用映像信号
および当該光ディスク上の比較対象の映像信号を指定するための映像指定信号を前記イン
ターネット接続手段を介して受信する受信手段と、前記映像指定信号に基づいて前記デコ
ーダから比較対象の映像信号が再生できるように当該光ディスクに対する前記光ピックア
ップの位置を制御する制御手段と、前記再生された比較対象の映像信号あるいは表示装置
が接続されている場合の該表示装置からのフィードバックによる比較対象の映像信号と前
記比較用映像信号とを比較する比較手段と、前記比較された両映像信号の差異信号に従っ
て前記デコーダの画質調整に関する設定値を更新させる更新手段とを備えたことを特徴と
する光ディスク再生装置を提供する。
【００１１】
この構成において、光ディスクの再生画像の画質を調整する際に、先ず、当該光ディス
クからディスク情報が読み出され、そして、送信手段は前記ディスク情報をインターネッ
ト接続手段を介してサーバに送信する。このサーバにおいては、前記ディスク情報により
比較用映像信号を検索して送信すると共に、当該光ディスク上の比較対象の映像信号を指
定するための映像指定信号を送信する。
【００１２】
光ディスク再生装置では、前記比較用映像信号および前記映像指定信号をインターネッ
ト接続手段を介して受信手段により受信し、制御手段は、前記映像指定信号に基づいてデ
コーダから比較対象の映像信号が再生できるように当該光ディスクに対する前記光ピック
アップの位置を制御する。これにより、デコーダからは比較対象の映像信号が再生される
。そして、比較手段は、前記再生された比較対象の映像信号と前記比較用映像信号とを比
較して、両映像信号の差異信号を出力し、更新手段は、前記差異信号に従ってデコーダの
画質調整に関する設定値を更新させる。この結果、デコーダからは当該光ディスクの製作
者の意図する画質の映像信号が再生される。
【００１３】
デコーダに表示装置が接続されている場合は、該表示装置に前記比較対象の映像信号が
与えられ、該表示装置で映像信号の変換が行われた比較対象の映像信号が比較手段にフィ
ードバックされ、これにより、比較手段は、前記フィードバックされた比較対象の映像信
号と前記比較用映像信号とを比較して、両映像信号の差異信号を出力し、更新手段は、前
記差異信号に従ってデコーダの画質調整に関する設定値を更新させる。この結果、表示装
置には、当該光ディスクの製作者の意図する画質の映像が表示される。
【００１４】
この構成によれば、光ディスクの製作者の意図する画質で映像を表示したい場合、当該
光ディスクの製作者の意図する画質の映像信号に基づいて、輝度調整、コントラスト調整
、ガンマ補正、色合調整、シャープネス調整などの設定値を決定し、デコーダの設定値を
更新させることができるので、製作者の意図する画質に設定をすることができ、これによ
り、ユーザは本来の画質の映像を楽しむことが可能になる。
【００１５】
請求項２の発明は、光ディスクに記録された情報を光ピックアップにより読み取り、こ
の読み取り信号をデコードして映像信号を再生するデコーダを有する光ディスク再生装置
において、インターネット接続手段を介して接続されたサーバからの当該光ディスクに対
応する比較用映像信号と、当該光ディスクから読み出され前記デコーダによりデコードさ
れて再生された比較対象の映像信号とを比較し、この比較された両映像信号の差異信号に
従って前記デコーダの画質調整に関する設定値を更新させる制御を行うシステムコントロ
ーラを備えたことを特徴とする光ディスク再生装置を提供する。
【００１６】
この構成において、光ディスクの再生画像の画質を調整する際に、先ず、当該光ディス
クからディスク情報が読み出され、そして、システムコントローラは、前記ディスク情報
をインターネット接続手段を介してサーバに送信する。このサーバにおいては、前記ディ
スク情報により比較用映像信号を検索して送信する。
【００１７】
システムコントローラでは、前記比較用映像信号をインターネット接続手段を介して受
信し、当該光ディスクから読み出され、デコーダで再生された比較対象の映像信号と前記
比較用映像信号とを比較して、両映像信号の差異信号を出力し、前記差異信号に従ってデ
コーダの画質調整に関する設定値を更新させる。この結果、デコーダからは当該光ディス
クの製作者の意図する画質の映像信号が再生される。
【００１８】
この構成によれば、光ディスクの製作者の意図する画質で映像を表示したい場合、当該
光ディスクの製作者の意図する画質の映像信号に基づいて、輝度調整、コントラスト調整
、ガンマ補正、色合調整、シャープネス調整などの設定値を決定し、デコーダの設定値を
更新させることができるので、製作者の意図する画質に設定をすることができ、これによ
り、ユーザは本来の画質の映像を楽しむことが可能になる。
【００１９】
請求項３の発明では、請求項２の発明において、前記比較用映像信号は、光ディスク再
生装置おいて再生された当該光ディスクのディスク情報に基づいて前記サーバにおいて検
索され、光ディスク再生装置に送信されるので、光ディスク再生装置では、光ディスクの
製作者の意図する画質の映像信号を得ることができ、これにより、製作者の意図する画質
と同じ画質の再生映像信号を生成することが可能になる。
【００２０】
請求項４の発明では、請求項２の発明において、当該光ディスクから読み出されたディ
スク情報を前記サーバへ前記インターネット接続手段を介して送信する送信手段と、前記
サーバにおいて前記ディスク情報により検索された比較用映像信号および当該光ディスク
上の比較対象の映像信号を指定するための映像指定信号を前記インターネット接続手段を
介して受信する受信手段とを備えたので、光ディスク再生装置とサーバ間の送受信が可能
になり、光ディスク再生装置では、比較用映像信号および映像指定信号を得ることができ
て、映像指定信号による制御により比較対象の映像信号を再生でき、これにより、比較対
象の映像信号と比較用映像信号との差異信号を生成でき、その差異信号に基づいてデコー
ダの設定値を更新することが可能になる。
【００２１】
請求項５の発明では、請求項２の発明において、前記システムコントローラは、映像指
定信号に基づいてデコーダから比較対象の映像信号が再生できるように当該光ディスクに
対する光ピックアップの位置を制御する制御手段と、前記再生された比較対象の映像信号
あるいは表示装置が接続されている場合の該表示装置からのフィードバックによる比較対
象の映像信号と前記比較用映像信号とを比較する比較手段と、前記比較された両映像信号
の差異信号に従ってデコーダの画質調整に関する設定値を更新させる更新手段とを備えた
ので、前記映像指定信号に基づいてデコーダから比較対象の映像信号が再生できるように
当該光ディスクに対する光ピックアップの位置を制御できて、デコーダからは比較対象の
映像信号が再生でき、前記再生された比較対象の映像信号と前記比較用映像信号とを比較
して、両映像信号の差異信号を出力でき、前記差異信号に従ってデコーダの画質調整に関
する設定値を更新させることができる。
【００２２】
また、デコーダに表示装置が接続されている場合は、該表示装置に前記比較対象の映像
信号が与えられ、該表示装置で映像信号の変換が行われた比較対象の映像信号が比較手段
にフィードバックされ、これにより、前記フィードバックされた比較対象の映像信号と前
記比較用映像信号とを比較して、両映像信号の差異信号を出力でき、前記差異信号に従っ
てデコーダの画質調整に関する設定値を更新させることができる。
【００２３】
請求項６の発明は、光ディスクに記録された情報を光ピックアップにより読み取り、こ
の読み取り信号をデコードして映像信号を再生するデコーダを有する光ディスク再生装置
において、光ディスクに予め画質調整用信号の情報を記録しておき、画質調整するための
比較用の画質調整用信号を得るために設けられたサーバとインターネット接続するインタ
ーネット接続手段と、当該光ディスクから読み出されたディスク情報を前記サーバへ前記
インターネット接続手段を介して送信する送信手段と、前記サーバにおいて前記ディスク
情報により検索された比較用の画質調整用信号および当該光ディスク上の比較対象の画質
調整用信号を指定するための画質調整指定信号を前記インターネット接続手段を介して受
信する受信手段と、前記画質調整指定信号に基づいて前記デコーダから比較対象の画質調
整用信号が再生できるように当該光ディスクに対する前記光ピックアップの位置を制御す
る制御手段と、前記再生された比較対象の画質調整用信号あるいは表示装置が接続されて
いる場合の該表示装置からのフィードバックによる比較対象の画質調整用信号と前記比較
用の画質調整用信号とを比較する比較手段と、前記比較された両画質調整用信号の差異信
号に従って前記デコーダの画質調整に関する設定値を更新させる更新手段とを備えたこと
を特徴とする光ディスク再生装置を提供する。
【００２４】
この構成において、光ディスクの再生画像の画質を調整する際に、先ず、当該光ディス
クからディスク情報が読み出され、そして、送信手段は前記ディスク情報をインターネッ
ト接続手段を介してサーバに送信する。このサーバにおいては、前記ディスク情報により
比較用の画質調整用信号を検索して送信すると共に、当該光ディスク上の比較対象の画質
調整用信号を指定するための画質調整指定信号を送信する。
【００２５】
光ディスク再生装置では、前記比較用の画質調整用信号および前記画質調整指定信号を
インターネット接続手段を介して受信手段により受信し、制御手段は、前記画質調整指定
信号に基づいてデコーダから比較対象の画質調整用信号が再生できるように当該光ディス
クに対する前記光ピックアップの位置を制御する。これにより、デコーダからは比較対象
の映像信号が再生される。そして、比較手段は、前記再生された比較対象の画質調整用信
号と前記比較用の画質調整用信号とを比較して、両画質調整用信号の差異信号を出力し、
更新手段は、前記差異信号に従ってデコーダの画質調整に関する設定値を更新させる。こ
の結果、デコーダからは当該光ディスクの製作者の意図する画質の映像信号が再生される
。
【００２６】
デコーダに表示装置が接続されている場合は、該表示装置に前記比較対象の画質調整用
信号が与えられ、該表示装置で前記比較対象の画質調整用信号の変換が行われた比較対象
の比較対象の画質調整用信号が比較手段にフィードバックされ、これにより、比較手段は
、前記フィードバックされた比較対象の比較対象の画質調整用信号と前記比較用の画質調
整用信号とを比較して、両画質調整用信号の差異信号を出力し、更新手段は、前記差異信
号に従ってデコーダの画質調整に関する設定値を更新させる。この結果、表示装置には、
当該光ディスクの製作者の意図する画質の映像が表示される。
【００２７】
この構成によれば、光ディスクの製作者の意図する画質で映像を表示したい場合、当該
光ディスクの製作者の意図する画質調整用信号に基づいて、輝度調整、コントラスト調整
、ガンマ補正、色合調整、シャープネス調整などの設定値を決定し、デコーダの設定値を
更新させることができるので、製作者の意図する画質に設定をすることができ、これによ
り、ユーザは本来の画質の映像を楽しむことが可能になる。
【００２８】
請求項７の発明は、光ディスクに記録された情報を光ピックアップにより読み取り、こ
の読み取り信号をデコードして映像信号を再生するデコーダを有する光ディスク再生装置
において、光ディスクに予め画質調整用信号の情報を記録しておき、インターネット接続
手段を介して接続されたサーバからの当該光ディスクに対応する比較用の画質調整用信号
と、当該光ディスクから読み出され前記デコーダによりデコードされて再生された比較対
象の画質調整用信号とを比較し、この比較された両画質調整用信号の差異信号に従って前
記デコーダの画質調整に関する設定値を更新させる制御を行うシステムコントローラを備
えたことを特徴とする光ディスク再生装置を提供する。
【００２９】
この構成において、光ディスクの再生画像の画質を調整する際に、先ず、当該光ディス
クからディスク情報が読み出され、そして、システムコントローラは、前記ディスク情報
をインターネット接続手段を介してサーバに送信する。このサーバにおいては、前記ディ
スク情報により比較用の画質調整用信号を検索して送信する。
【００３０】
システムコントローラでは、前記比較用の画質調整用信号をインターネット接続手段を
介して受信し、当該光ディスクから読み出され、デコーダで再生された比較対象の画質調
整用信号と前記比較用の画質調整用信号とを比較して、両画質調整用信号の差異信号を出
力し、前記差異信号に従ってデコーダの画質調整に関する設定値を更新させる。この結果
、デコーダからは当該光ディスクの製作者の意図する画質の映像信号が再生される。
【００３１】
この構成によれば、光ディスクの製作者の意図する画質で映像を表示したい場合、当該
光ディスクの製作者の意図する画質の画質調整用信号に基づいて、輝度調整、コントラス
ト調整、ガンマ補正、色合調整、シャープネス調整などの設定値を決定し、デコーダの設
定値を更新させることができるので、製作者の意図する画質に設定をすることができ、こ
れにより、ユーザは本来の画質の映像を楽しむことが可能になる。
【００３２】
請求項８の発明では、請求項７の発明において、前記比較用の画質調整用信号は、光デ
ィスク再生装置おいて再生された当該光ディスクのディスク情報に基づいてサーバにおい
て検索され光ディスク再生装置に送信されるので、光ディスク再生装置では、光ディスク
の製作者の意図する画質の画質調整用信号を得ることができ、これにより、製作者の意図
する画質と同じ画質の再生映像信号を生成することが可能になる。
【００３３】
請求項９の発明では、請求項７の発明において、当該光ディスクから読み出されたディ
スク情報をサーバへインターネット接続手段を介して送信する送信手段と、前記サーバに
おいて前記ディスク情報により検索された比較用の画質調整用信号および当該光ディスク
上の比較対象の画質調整用信号を指定するための画質調整指定信号を前記インターネット
接続手段を介して受信する受信手段とを備えたので、光ディスク再生装置とサーバ間の送
受信が可能になり、光ディスク再生装置では、比較用の画質調整用信号および画質調整指
定信号を得ることができて、画質調整指定信号による制御により比較対象の画質調整用信
号を再生でき、これにより、比較対象の画質調整用信号と比較用の画質調整用信号との差
異信号を生成でき、その差異信号に基づいてデコーダの設定値を更新することが可能にな
る。
【００３４】
請求項１０の発明では、前記システムコントローラは、画質調整指定信号に基づいてデ
コーダから比較対象の画質調整用信号が再生できるように当該光ディスクに対する光ピッ
クアップの位置を制御する制御手段と、前記再生された比較対象の画質調整用信号あるい
は表示装置が接続されている場合の該表示装置からのフィードバックによる比較対象の画
質調整用信号と前記比較用の画質調整用信号とを比較する比較手段と、前記比較された両
画質調整用信号の差異信号に従って前記デコーダの画質調整に関する設定値を更新させる
更新手段とを備えたので、前記画質調整指定信号に基づいてデコーダから比較対象の画質
調整用信号が再生できるように当該光ディスクに対する光ピックアップの位置を制御でき
て、デコーダからは比較対象の画質調整用信号が再生でき、前記再生された比較対象の画
質調整用信号と前記比較用の画質調整用信号とを比較して、両画質調整用信号の差異信号
を出力でき、前記差異信号に従ってデコーダの画質調整に関する設定値を更新させること
ができる。
【００３５】
また、デコーダに表示装置が接続されている場合は、該表示装置に前記比較対象の画質
調整用信号が与えられ、該表示装置で前記画質調整用信号の変換が行われた比較対象の画
質調整用信号が比較手段にフィードバックされ、これにより、前記フィードバックされた
比較対象の画質調整用信号と前記比較用の画質調整用信号とを比較して、両画質調整用信
号の差異信号を出力でき、前記差異信号に従ってデコーダの画質調整に関する設定値を更
新させることができる。
【発明の効果】
【００３６】
以上のように本発明によれば、画質調整するための比較用映像信号を得るために設けら
れたサーバとインターネット接続するインターネット接続手段と、当該光ディスクから読
み出されたディスク情報を前記サーバへ前記インターネット接続手段を介して送信する送
信手段と、前記サーバにおいて前記ディスク情報により検索された比較用映像信号および
当該光ディスク上の比較対象の映像信号を指定するための映像指定信号を前記インターネ
ット接続手段を介して受信する受信手段と、前記映像指定信号に基づいて前記デコーダか
ら比較対象の映像信号が再生できるように当該光ディスクに対する前記光ピックアップの
位置を制御する制御手段と、前記再生された比較対象の映像信号あるいは表示装置が接続
されている場合の該表示装置からのフィードバックによる比較対象の映像信号と前記比較
用映像信号とを比較する比較手段と、前記比較された両映像信号の差異信号に従って前記
デコーダの画質調整に関する設定値を更新させる更新手段とを備えたので、光ディスクの
製作者の意図する画質で映像を表示したい場合、当該光ディスクの製作者の意図する画質
の映像信号に基づいて、輝度調整、コントラスト調整、ガンマ補正、色合調整、シャープ
ネス調整などの設定値を決定し、デコーダの設定値を更新させることができ、これにより
、製作者の意図する画質に設定をすることができ、ユーザは本来の画質の映像を楽しむこ
とが可能になる。
【００３７】
また、本発明によれば、インターネット接続手段を介して接続されたサーバからの当該
光ディスクに対応する比較用映像信号と、当該光ディスクから読み出され前記デコーダに
よりデコードされて再生された比較対象の映像信号とを比較し、この比較された両映像信
号の差異信号に従って前記デコーダの画質調整に関する設定値を更新させる制御を行うシ
ステムコントローラを備えたので、光ディスクの製作者の意図する画質で映像を表示した
い場合、当該光ディスクの製作者の意図する画質の映像信号に基づいて、輝度調整、コン
トラスト調整、ガンマ補正、色合調整、シャープネス調整などの設定値を決定し、デコー
ダの設定値を更新させることができ、これにより、製作者の意図する画質に設定をするこ
とができ、ユーザは本来の画質の映像を楽しむことが可能になる。
【００３８】
また、本発明によれば、光ディスクに予め画質調整用信号の情報を記録しておき、画質
調整するための比較用の画質調整用信号を得るために設けられたサーバとインターネット
接続するインターネット接続手段と、当該光ディスクから読み出されたディスク情報を前
記サーバへ前記インターネット接続手段を介して送信する送信手段と、前記サーバにおい
て前記ディスク情報により検索された比較用の画質調整用信号および当該光ディスク上の
比較対象の画質調整用信号を指定するための画質調整指定信号を前記インターネット接続
手段を介して受信する受信手段と、前記画質調整指定信号に基づいて前記デコーダから比
較対象の画質調整用信号が再生できるように当該光ディスクに対する前記光ピックアップ
の位置を制御する制御手段と、前記再生された比較対象の画質調整用信号あるいは表示装
置が接続されている場合の該表示装置からのフィードバックによる比較対象の画質調整用
信号と前記比較用の画質調整用信号とを比較する比較手段と、前記比較された両画質調整
用信号の差異信号に従って前記デコーダの画質調整に関する設定値を更新させる更新手段
とを備えたので、光ディスクの製作者の意図する画質で映像を表示したい場合、当該光デ
ィスクの製作者の意図する画質調整用信号に基づいて、輝度調整、コントラスト調整、ガ
ンマ補正、色合調整、シャープネス調整などの設定値を決定し、デコーダの設定値を更新
させることができ、これにより、製作者の意図する画質に設定をすることができ、ユーザ
は本来の画質の映像を楽しむことが可能になる。
【００３９】
また、本発明によれば、光ディスクに予め画質調整用信号の情報を記録しておき、イン
ターネット接続手段を介して接続されたサーバからの当該光ディスクに対応する比較用の
画質調整用信号と、当該光ディスクから読み出され前記デコーダによりデコードされて再
生された比較対象の画質調整用信号とを比較し、この比較された両画質調整用信号の差異
信号に従って前記デコーダの画質調整に関する設定値を更新させる制御を行うシステムコ
ントローラを備えたので、光ディスクの製作者の意図する画質で映像を表示したい場合、
当該光ディスクの製作者の意図する画質の画質調整用信号に基づいて、輝度調整、コント
ラスト調整、ガンマ補正、色合調整、シャープネス調整などの設定値を決定し、デコーダ
の設定値を更新させることができ、これにより、製作者の意図する画質に設定をすること
ができ、ユーザは本来の画質の映像を楽しむことが可能になる。
【発明を実施するための最良の形態】
【００４０】
以下、添付図面を参照しつつ、本発明の実施の形態について説明する。図１は本発明の
実施形態に係る光ディスク再生装置の構成を含むブロック図である。
【００４１】
この光ディスク再生装置１２は、光ディスク１に記録された情報を光学的に読み取る光
ピックアップ２と、この光ピックアップ２で読み取った読取信号をデコードして映像信号
を再生して出力するデコーダ３と、光ピックアップ２におけるフォーカス制御とトラッキ
ング制御とスレーブ制御を行う駆動回路４と、装置全体の制御を司るシステムコントロー
ラ５と、画質調整するための比較用映像信号を得るために設けられたサーバ１０とインタ
ーネット接続するインターネット接続回路８と、光ディスク１から読み出されたディスク
情報をサーバ１０へインターネット接続回路８を介して送信する送信回路７と、サーバ１
０において前記ディスク情報により検索された比較用映像信号および光ディスク１上の比
較対象の映像信号を指定するための映像指定信号をインターネット接続回路８を介して受
信する受信回路６とを備えている。前記映像指定信号は、光ディスク１上のあるシーンの
映像信号を比較対象の映像信号として読み出すため、前記あるシーンの映像信号が含まれ
ている例えばタイトルまたはチャプタにおける前記あるシーンの映像信号を再生するまで
の時間を指定する情報を示す信号などで実現できる。
【００４２】
前記システムコントローラ５は、本実施形態の特徴として、前記映像指定信号に基づい
てデコーダ３から比較対象の映像信号が再生できるように光ディスク１に対する光ピック
アップ２の位置を制御する制御手段５１と、前記再生された比較対象の映像信号あるいは
表示装置１１が接続されている場合の表示装置１１からのフィードバックによる比較対象
の映像信号と前記比較用映像信号とを比較する比較手段５２と、前記比較された両映像信
号の差異信号に従ってデコーダ３の画質調整に関する設定値を更新させる更新手段５３と
を有する。
【００４３】
サーバ１０は、通信回線９を介して光ディスク再生装置１２のインターネット接続回路
８に接続される。サーバ１０は、光ディスクの製作者が各光ディスクのディスク情報（光
ディスクを識別するための情報）と比較用映像信号（予め決めたシーンの静止画の映像信
号）とを対応させたテーブルなどを記憶したメモリ１０１と、光ディスク再生装置１２か
ら送られてきたディスク情報に基づいてメモリ１０１の前記テーブルから前記ディスク情
報に対応する比較用映像信号を検索する検索手段１０２とを備えている。
【００４４】
表示装置１１は、光ディスク再生装置１２のデコーダ３の出力端子に接続され、デコー
ダ３からの映像信号を入力して表示装置１１側の映像信号に変換する映像変換回路１１１
と、この映像変換回路１１１からの映像信号を入力して映像を表示する表示部１１２とを
備えている。
【００４５】
図２は実施形態において映像信号を用いて画質を調整するための処理を説明するための
フローチャートである。このフローチャートを参照して光ディスクに記録されている映像
信号を用いて画質を調整するための処理を説明する。
【００４６】
光ディスク再生装置１２を再生動作させると（ステップＳ１）、図示しないスピンドル
モータにより光ディスク１が回転し、光ディスク１のディスク情報が、光ピックアップ２
によりＲＦ信号として読み出され（ステップＳ２）、デコーダ３でデコードされた後、送
信回路７は前記ディスク情報をインターネット接続回路８および通信回線９を介してサー
バ１０に送信する（ステップＳ３）。
【００４７】
このサーバ１０においては、光ディスク再生装置１２から送信されてきたディスク情報
に基づいて検索手段１０２がメモリ１０１のテーブルを用いて前記ディスク情報に対応す
る比較用映像信号を検索する（ステップＳ４）。そして、サーバ１０は、前記検索された
比較用映像信号（予め決めたシーンの静止画の映像信号）を送信すると共に、該比較用映
像信号と比較する比較対象の映像信号（前記と同じシーンの静止画の映像信号）を光ディ
スク１から読み出すことができるように光ピックアップ２を位置制御するための映像指定
信号をも通信回線９を介して光ディスク再生装置１２へ送信する（ステップＳ５）。
【００４８】
光ディスク再生装置１２では、前記比較用映像信号および前記映像指定信号をインター
ネット接続回路８を介して受信回路６により受信し、システムコントローラ５の制御手段
５１は、前記映像指定信号に基づいてデコーダ３から比較対象の映像信号が再生できるよ
うに光ディスク１に対する光ピックアップ２の位置を制御する。これにより、光ディスク
１からは比較対象の映像信号（前記映像指定信号により指定された映像信号）が、ＲＦ信
号として読み出されて（ステップＳ６）、デコーダ３でデコードされ、デコーダ３から比
較対象の映像信号が出力される。
【００４９】
表示装置１１が光ディスク再生装置１２に接続されていない場合は（ステップＳ７）、
システムコントローラ５の比較手段５２は、デコーダ３から出力された比較対象の映像信
号とサーバ１０から送信されてきた比較用映像信号とを入力し、両映像信号を比較し（ス
テップＳ９）、更新手段５３は、その両映像信号の差異信号をデコーダ３に入力し（ステ
ップＳ１０）、デコーダ３の設定値を更新する（ステップＳ１１）。
【００５０】
これにより、デコーダ３では、入力された差異信号に応じて、輝度調整、コントラスト
調整、ガンマ補正、色合調整、シャープネス調整などの設定値が更新される。したがって
、それ以降は、デコーダ３は、更新された設定値による映像信号を出力することができる
（ステップＳ１２）。このような画質調整処理により、デコーダ３からは光ディスク１の
製作者の意図する画質の映像信号が出力されることになる。
【００５１】
デコーダ３に表示装置１１が接続されている場合は、表示装置１１に前記比較対象の映
像信号が与えられ、表示装置１１の映像変換回路１１１で映像信号の変換が行われた比較
対象の映像信号がシステムコントローラ１２の比較手段５２にフィードバックされ、これ
により、比較手段５２は、前記フィードバックされた比較対象の映像信号と前記比較用映
像信号とを比較して（ステップＳ８）、両映像信号の差異信号をデコーダ３に入力し（ス
テップＳ１０）、更新手段５３は、前記差異信号に従ってデコーダ３の画質調整に関する
設定値を更新させる（ステップＳ１１）。これにより、デコーダ３では、入力された差異
信号に応じて、輝度調整、コントラスト調整、ガンマ補正、色合調整、シャープネス調整
などの設定値が更新される。したがって、それ以降は、デコーダ３は、更新された設定値
による映像信号を出力することができる（ステップＳ１２）。このような画質調整処理に
より、デコーダ３からは光ディスク１の製作者の意図する画質の映像信号が出力されるこ
とになる。
【００５２】
この画質調整処理によれば、光ディスクの製作者の意図する画質で映像を表示させたい
場合、当該光ディスクの製作者の意図する画質の映像信号に基づいて、輝度調整、コント
ラスト調整、ガンマ補正、色合調整、シャープネス調整などの設定値を決定し、デコーダ
の設定値を更新させることができるので、製作者の意図する画質に設定をすることができ
、これにより、ユーザは本来の画質の映像を楽しむことが可能になる。
【００５３】
図３は実施形態において画質調整用信号を用いて画質を調整するための処理を説明する
ためのフローチャートである。このフローチャートを参照して光ディスクに記録されてい
る画質調整用信号を用いて画質を調整するための処理を説明する。
【００５４】
この実施形態の場合は、映像信号の代わりに画質調整用信号を用いて画質を調整する処
理が行われる。したがって、この実施形態における図１に示す光ディスク再生装置１２と
サーバ１０と表示装置１１における処理では、比較用映像信号は比較用の画質調整用信号
、比較対象の映像信号は比較対象の画質調整用信号、映像指定信号は画質調整指定信号と
いう信号名に置き換えて説明する。
【００５５】
この実施形態では、光ディスク１には予め画質調整用信号（例えばカラーバー信号）の
情報が記録されているものとする。光ディスク再生装置１２を再生動作させると（ステッ
プＮ１）、図示しないスピンドルモータにより光ディスク１が回転し、光ディスク１のデ
ィスク情報が、光ピックアップ２によりＲＦ信号として読み出され（ステップＮ２）、デ
コーダ３でデコードされた後、送信回路７は前記ディスク情報をインターネット接続回路
８および通信回線９を介してサーバ１０に送信する（ステップＮ３）。
【００５６】
このサーバ１０においては、光ディスク再生装置１２から送信されてきたディスク情報
に基づいて検索手段１０２がメモリ１０１のテーブルを用いて前記ディスク情報に対応す
る比較用の画質調整用信号を検索する（ステップＮ４）。そして、サーバ１０は、前記検
索された比較用の画質調整用信号（例えば予め記録されたカラーバー信号）を送信すると
共に、該比較用の画質調整用信号と比較する比較対象の画質調整用信号（例えばカラーバ
ー信号）を光ディスク１から読み出すことができるように光ピックアップ２を位置制御す
るための画質調整指定信号をも通信回線９を介して光ディスク再生装置１２へ送信する（
ステップＮ５）。
【００５７】
光ディスク再生装置１２では、前記比較用の画質調整用信号および前記画質調整指定信
号をインターネット接続回路８を介して受信回路６により受信し、システムコントローラ
５の制御手段５１は、前記画質調整指定信号に基づいてデコーダ３から比較対象の画質調
整用信号が再生できるように光ディスク１に対する光ピックアップ２の位置を制御する。
これにより、光ディスク１からは比較対象の画質調整用信号（前記画質調整指定信号によ
り指定された画質調整用信号）が、ＲＦ信号として読み出されて（ステップＮ６）、デコ
ーダ３でデコードされ、デコーダ３から比較対象の画質調整用信号が出力される。
【００５８】
表示装置１１が光ディスク再生装置１２に接続されていない場合は（ステップＮ７）、
システムコントローラ５の比較手段５２は、デコーダ３から出力された比較対象の画質調
整用信号とサーバ１０から送信されてきた比較用の画質調整用信号とを入力し、両画質調
整用信号を比較し（ステップＮ９）、更新手段５３は、その両画質調整用信号の差異信号
をデコーダ３に入力し（ステップＮ１０）、デコーダ３の設定値を更新する（ステップＮ
１１）。
【００５９】
これにより、デコーダ３では、入力された差異信号に応じて、輝度調整、コントラスト
調整、ガンマ補正、色合調整、シャープネス調整などの設定値が更新される。したがって
、それ以降は、デコーダ３は、更新された設定値による映像信号を出力することができる
（ステップＮ１２）。このような画質調整処理により、デコーダ３からは光ディスク１の
製作者の意図する画質の映像信号が出力されることになる。
【００６０】
デコーダ３に表示装置１１が接続されている場合は、表示装置１１に前記比較対象の画
質調整用信号が与えられ、表示装置１１の映像変換回路１１１で画質調整用信号の変換が
行われた比較対象の画質調整用信号がシステムコントローラ１２の比較手段５２にフィー
ドバックされ、これにより、比較手段５２は、前記フィードバックされた比較対象の画質
調整用信号と前記比較用の画質調整用信号とを比較して（ステップＮ８）、両画質調整用
信号の差異信号をデコーダ３に入力し（ステップＮ１０）、更新手段５３は、前記差異信
号に従ってデコーダ３の画質調整に関する設定値を更新させる（ステップＮ１１）。これ
により、デコーダ３では、入力された差異信号に応じて、輝度調整、コントラスト調整、
ガンマ補正、色合調整、シャープネス調整などの設定値が更新される。したがって、それ
以降は、デコーダ３は、更新された設定値による映像信号を出力することができる（ステ
ップＮ１２）。このような画質調整処理により、デコーダ３からは光ディスク１の製作者
の意図する画質の映像信号が出力されることになる。
【００６１】
この画質調整処理によれば、光ディスクの製作者の意図する画質で映像を表示したい場
合、当該光ディスクの製作者の意図する画質の画質調整用信号に基づいて、輝度調整、コ
ントラスト調整、ガンマ補正、色合調整、シャープネス調整などの設定値を決定し、デコ
ーダの設定値を更新させることができるので、製作者の意図する画質に設定をすることが
でき、これにより、ユーザは本来の画質の映像を楽しむことが可能になる。
【図面の簡単な説明】
【００６２】
【図１】本発明の実施形態に係る光ディスク再生装置の構成を含むブロック図である。
【図２】前記実施形態において映像信号を用いて画質を調整するための処理を説明するためのフローチャートである。
【図３】前記実施形態において画質調整用信号を用いて画質を調整するための処理を説明するためのフローチャートである。
【符号の説明】
【００６３】
１    光ディスク
２    光ピックアップ
３    デコーダ
５    システムコントローラ
６    受信回路（受信手段）
７    送信回路（送信手段）
８    インターネット接続回路（インターネット接続手段）
１０    サーバ
１１    表示装置
１２    光ディスク再生装置
５１    制御手段
５２    比較手段
５３    更新手段
【図１】
2005295437.tif 000003
【図２】
2005295437.tif 000004
【図３】
2005295437.tif 000005